(57)【要約】【課題】ハロゲン化芳香族化合物を効率的に分解することができ、かつ資源としての利用価値が高い生成物を得ることができる酸化触媒およびそれを用いたハロゲン化芳香族化合物の酸化分解方法を提供する。【解決手段】下記式（１）で表わされるＮ−ヘテロ環状カルベン配位子を有するパラジウム（ＩＩ）錯体からなることを特徴とする酸化触媒。［化１］2019147143.tif 000009（式中、Ｒ１〜Ｒ１６は、水素原子、または、アルキル基、ハロゲノ基、ニトロ基、トリフルオロメチル基等、あらゆる置換基の導入が可能である。）【選択図】なし【特許請求の範囲】
【請求項１】
下記式（１）で表わされるＮ−ヘテロ環状カルベン配位子を有するパラジウム（ＩＩ）錯体からなることを特徴とする酸化触媒。
【化１】
2019147143.tif 000008
（式中、Ｒ１〜Ｒ１６は、水素原子、または、アルキル基、ハロゲノ基、ニトロ基、トリフルオロメチル基等、あらゆる置換基の導入が可能である。）
【請求項２】
ハロゲン化芳香族化合物を酸化分解する方法であって、
請求項１に記載の酸化触媒と犠牲酸化剤を含む水溶液に、ハロゲン化芳香族化合物を加え、それらの混合物を攪拌する工程を有することを特徴とするハロゲン化芳香族化合物の酸化分解方法。
【請求項３】
前記犠牲酸化剤は、硫酸水素カリウム、硫酸カリウムおよびペルオキシ一硫酸カリウムの複塩化合物であることを特徴とする請求項２に記載のハロゲン化芳香族化合物の酸化分解方法。
【発明の詳細な説明】
【技術分野】
【０００１】
本発明は、酸化触媒およびそれを用いたハロゲン化芳香族化合物の酸化分解方法に関する。
【背景技術】
【０００２】
ポリ塩化ビフェニル（ＰＣＢ）は、溶け難く、沸点が高く、熱で分解し難く、不燃性であり、電気絶縁性が高い等、化学的に安定な性質を有することから、電気機器の絶縁油、熱交換器の熱媒体等の様々な用途で用いられてきた。その一方で、ポリ塩化ビフェニルは、極めて毒性が高い環境汚染物質の１つである。そのため、ポリ塩化ビフェニルの処理方法は非常に厳しく制限されている。また、ポリ塩化ビフェニルは、化学的に非常に安定な物質であるため、分解するには、触媒の存在下にて数百℃以上の高温に加熱したり（例えば、特許文献１参照）、高温のプラズマを用いたり（例えば、特許文献２参照）する必要があった。すなわち、従来のポリ塩化ビフェニルの処理方法は効率的ではなかった。また、前記のような過酷な条件でポリ塩化ビフェニルを分解すると主に二酸化炭素が生成する。二酸化炭素は、資源としての利用価値が低い上に、温室効果ガスであるため、前記のような過酷な条件でポリ塩化ビフェニルを分解することは合理的ではなかった。
【０００３】
また、ポリ塩化ビフェニルの水素化脱塩素反応では、トリエチルアミンを加えることにより、パラジウム炭素の触媒活性が向上することが知られている（例えば、非特許文献１参照）。また、ｔ−クロロベンゼン、１，３，５−トリクロロベンゼンを、Ｖ２Ｏ５／ＴｉＯ２触媒で酸化する方法が知られている（例えば、非特許文献２参照）。しかしながら、これらの方法を用いても、ハロゲン化芳香族化合物を効率的に分解して、利用価値が高い生成物を得ることは難しかった。
【先行技術文献】
【特許文献】
【０００４】
【特許文献１】特開２０１５−２３９７２号公報
【特許文献２】特開２０１７−１２７８６９号公報
【非特許文献】
【０００５】
【非特許文献１】Ｈｉｒｏｎａｏ  Ｓａｊｉｋｉ，Ａｋｉｒａ  Ｋｕｍｅ，Ｋａｚｕｙｕｋｉ  Ｈａｔｔｏｒｉ，Ｈｉｓａｍｉｓｔｕ  Ｎａｇａｓｅ，Ｋｏｓａｋｕ  Ｈｉｒｏｔａ、Ｔｅｔｒａｈｅｄｒｏｎ  Ｌｅｔｔｅｒｓ  ４３，２００２，ｐ７２５１−ｐ７２５４．
【非特許文献２】Ｊｉａｎ  Ｗａｎｇ，Ｘｕｅ  Ｗａｎｇ，Ｘｉａｏｌｏｎｇ  Ｌｉｕ，Ｔｉｎｇｙｕ  Ｚｈｕ，Ｙａｎｇｙａｎｇ  Ｇｕｏ，Ｈａｏ  Ｑｉ，Ｃａｔａｌｙｓｉｓ  Ｔｏｄａｙ  ２４１，２０１５，ｐ９２−ｐ９９．
【発明の概要】
【発明が解決しようとする課題】
【０００６】
本発明は、上記事情に鑑みてなされたものであって、ハロゲン化芳香族化合物を効率的に分解することができ、かつ資源としての利用価値が高い生成物を得ることができる酸化触媒およびそれを用いたハロゲン化芳香族化合物の酸化分解方法を提供することを目的とする。
【課題を解決するための手段】
【０００７】
［１］下記式（１）で表わされるＮ−ヘテロ環状カルベン配位子を有するパラジウム（ＩＩ）錯体からなる酸化触媒。
【０００８】
【化１】
2019147143.tif 000002
（式中、Ｒ１〜Ｒ１６は、水素原子、または、アルキル基、ハロゲノ基、ニトロ基、トリフルオロメチル基等、あらゆる置換基の導入が可能である。）
【０００９】
［２］ハロゲン化芳香族化合物を酸化分解する方法であって、前記［１］に記載の酸化触媒と犠牲酸化剤を含む水溶液に、ハロゲン化芳香族化合物を加え、それらの混合物を攪拌する工程を有するハロゲン化芳香族化合物の酸化分解方法。
【００１０】
［３］前記犠牲酸化剤は、硫酸水素カリウム、硫酸カリウムおよびペルオキシ一硫酸カリウムの複塩化合物である前記［２］に記載のハロゲン化芳香族化合物の酸化分解方法。
【発明の効果】
【００１１】
本発明によれば、ハロゲン化芳香族化合物を効率的に分解することができ、かつ資源としての利用価値が高い生成物を得ることができる酸化触媒およびそれを用いたハロゲン化芳香族化合物の酸化分解方法を提供することができる。
【図面の簡単な説明】
【００１２】
【図１】Ｎ−ヘテロ環状カルベン配位子を有するパラジウム（ＩＩ）錯体の１Ｈ−ＮＭＲチャートである。
【図２】ＨＣＯＯＨの１Ｈ−ＮＭＲチャートである。
【図３】ＤＣＯＯＨの１Ｈ−ＮＭＲチャートである。
【発明を実施するための形態】
【００１３】
本発明の酸化触媒およびそれを用いたハロゲン化芳香族化合物の酸化分解方法の実施の形態について説明する。
なお、本実施の形態は、発明の趣旨をより良く理解させるために具体的に説明するものであり、特に指定のない限り、本発明を限定するものではない。
【００１４】
［酸化触媒］
本実施形態の酸化触媒は、下記式（１）で表わされるＮ−ヘテロ環状カルベン配位子を有するパラジウム（ＩＩ）錯体（以下、「パラジウム（ＩＩ）錯体」と略すこともある。）からなる。
【００１５】
【化２】
2019147143.tif 000003
（式中、Ｒ１〜Ｒ１６は、水素原子、または、アルキル基、ハロゲノ基、ニトロ基、トリフルオロメチル基等、あらゆる置換基の導入が可能である。）
【００１６】
パラジウム（ＩＩ）錯体としては、具体的には、下記式（２）で示すものが挙げられる。
【００１７】
【化３】
2019147143.tif 000004
【００１８】
本実施形態の酸化触媒は、後述するハロゲン化芳香族化合物の酸化分解方法にて、ハロゲン化芳香族化合物の酸化分解反応の触媒として用いられる。
【００１９】
本実施形態の酸化触媒によれば、後述するハロゲン化芳香族化合物の酸化分解方法に適用することにより、ハロゲン化芳香族化合物を効率的に分解することができ、かつ資源としての利用価値が高い生成物を得ることができる。すなわち、本実施形態の酸化触媒によれば、後述するハロゲン化芳香族化合物の酸化分解方法において、酸化分解反応の温度を室温付近（２０℃〜３０℃）とすることができる。したがって、ハロゲン化芳香族化合物の酸化分解を行うために大規模な設備が不要である。また、本実施形態の酸化触媒によれば、ハロゲン化芳香族化合物を酸化分解して、水素源となるギ酸を生成することができる。
【００２０】
［ハロゲン化芳香族化合物の酸化分解方法］
本実施形態のハロゲン化芳香族化合物の酸化分解方法は、ハロゲン化芳香族化合物を酸化分解する方法であって、本実施形態の酸化触媒と犠牲酸化剤を含む水溶液に、ハロゲン化芳香族化合物を加え、それらの混合物を攪拌する工程を有する。
【００２１】
本実施形態のハロゲン化芳香族化合物の酸化分解方法により酸化分解可能なハロゲン化芳香族化合物としては、ｏ−ジクロロベンゼン、クロロベンゼン、４−クロロベンゼンスルホン酸ナトリウム、ｍ−ジクロロベンゼン、ｐ−ジクロロベンゼン、１，２，３−トリクロロベンゼン、１，２，４−トリクロロベンゼン、１，２，４，５−テトラクロロベンゼン、フルオロベンゼン、ブロモベンゼンおよびこれらの誘導体等が挙げられる。
【００２２】
上記の工程において、上記の混合物を攪拌する際の温度（酸化分解反応の温度）は、特に限定されないが、２０℃〜３０℃であることが好ましい。
【００２３】
犠牲酸化剤は、硫酸水素カリウム（ＫＨＳＯ４）、硫酸カリウム（Ｋ２ＳＯ４）およびペルオキシ一硫酸カリウム（ＫＨＳＯ５）の複塩化合物（ＫＨＳＯ４・Ｋ２ＳＯ４・２ＫＨＳＯ５）であることが好ましい。
【００２４】
本実施形態のハロゲン化芳香族化合物の酸化分解方法によれば、本実施形態の酸化触媒と犠牲酸化剤を含む水溶液に、ハロゲン化芳香族化合物を加え、それらの混合物を攪拌することにより、ハロゲン化芳香族化合物を酸化分解して、水素源となるギ酸を生成することができる。また、本実施形態のハロゲン化芳香族化合物の酸化分解方法によれば、通常の空気中で実験操作が行われ、酸化分解反応の温度が室温付近（２０℃〜３０℃）であるため、ハロゲン化芳香族化合物の酸化分解を行うために大規模な設備が不要となる。
【実施例】
【００２５】
以下、実施例および比較例により本発明をさらに具体的に説明するが、本発明は以下の実施例に限定されるものではない。
【００２６】
［合成例］
「Ｎ−ヘテロ環状カルベン配位子を有するパラジウム（ＩＩ）錯体の合成」
下記式（３）で表わされる公知の配位子前駆体であるイミダゾリウム塩を用意した。このイミダゾリウム塩は、例えば、Ｘ．Ｚｈａｎｇ  ｅｔ  ａｌ．，Ｊ．Ｏｒｇａｎｏｍｅｔ．Ｃｈｅｍ．２００９，６９４（１５），２３５９−２３６７．に記載された方法により合成されたものである。
【００２７】
【化４】
2019147143.tif 000005
【００２８】
遮光下、アセトニトリル溶媒中にて、このイミダゾリウム塩に対して、過剰量の酸化銀を添加し、これらの混合物を約２日間攪拌した。
その後、未反応の酸化銀を濾別し、得られた濾液に対して、ビスアセトニトリルパラジウム（ＩＩ）をイミダゾリウム塩に対して１当量添加した。
その後、室温下、濾液を約１０時間攪拌し、白色沈殿を含む黄色〜橙色の溶液Ａを得た。
次いで、白色沈殿を濾別した後、溶液Ａの溶媒を減圧しながら加熱して除去することにより、下記式（４）で表わされる錯体を得た。
【００２９】
【化５】
2019147143.tif 000006
【００３０】
水中にて、得られた錯体に対して２当量のトリフルオロメタンスルホン酸銀または硝酸銀を添加し、約６０℃にて、これらの混合物を攪拌した。
攪拌を継続すると、塩化銀の白色沈殿が生じた。その白色沈殿を濾別し、得られた濾液（水溶液）に対して、大過剰量のヘキサフルオロリン酸カリウムまたは過塩素酸ナトリウムを添加して、白色固体を得た。
【００３１】
「ＮＭＲ分析結果」
得られた白色固体を重水（Ｄ２Ｏ）に溶解した溶液について、１Ｈ−ＮＭＲスペクトル（核磁気共鳴スペクトル）を測定した。結果を図１に示す。
図１において、５．８７ｐｐｍのピークは図１に示すパラジウム（ＩＩ）錯体の（３）の位置の４Ｈに由来する。また、図１において、７．５４ｐｐｍ−７．５６ｐｐｍのピークは図１に示すパラジウム（ＩＩ）錯体の（１）の位置の２Ｈに由来する。また、図１において、７．６７ｐｐｍ−７．７１ｐｐｍのピークは図１に示すパラジウム（ＩＩ）錯体の（６）の位置の２Ｈに由来する。また、図１において、７．８５ｐｐｍ−７．８８ｐｐｍのピークは図１に示すパラジウム（ＩＩ）錯体の（２）の位置の２Ｈに由来する。また、図１において、７．９６ｐｐｍ−７．９８ｐｐｍのピークは図１に示すパラジウム（ＩＩ）錯体の（４）の位置の２Ｈに由来する。また、図１において、８．１９ｐｐｍ−８．２３ｐｐｍのピークは図１に示すパラジウム（ＩＩ）錯体の（５）の位置の２Ｈに由来する。また、図１において、８．９８ｐｐｍ−８．９９ｐｐｍのピークは図１に示すパラジウム（ＩＩ）錯体の（７）の位置の２Ｈに由来する。
以上の測定結果から、得られた白色固体は、上記式（２）で表わされるパラジウム（ＩＩ）錯体であることが確認された。
【００３２】
［実施例１］
「ハロゲン化芳香族化合物の酸化分解」
生成物の１Ｈ−ＮＭＲスペクトル測定を行うために、溶媒としては、重水を用いた。
生成物を定量するために、内部標準物質として、４，４−ジメチル−４−シラペンタン−１−スルホン酸ナトリウム（Ｓｏｄｉｕｍ  ４，４−ｄｉｍｅｔｈｙｌ−４−ｓｉｌａｐｅｎｔａｎｅ−１−ｓｕｌｆｏｎａｔｅ、ＤＳＳ）を溶解させた重水溶液（以下、「定量溶液」と言う。）を調製した。
生成物の１Ｈ−ＮＭＲスペクトル測定を行う直前に、ハロゲン化芳香族化合物の酸化分解反応液４００μＬと定量溶液４００μＬとを混合し、この混合液を測定用溶液とする。このような測定用溶液を用いる理由は、内部標準物質が、犠牲酸化剤である、硫酸水素カリウム（ＫＨＳＯ４）、硫酸カリウム（Ｋ２ＳＯ４）およびペルオキシ一硫酸カリウム（ＫＨＳＯ５）の複塩化合物（ＫＨＳＯ４・Ｋ２ＳＯ４・２ＫＨＳＯ５、商品名：Ｏｘｏｎｅ（登録商標）、デュポン社製）によって分解されることを防ぐためである。
【００３３】
また、反応容器を一定温度に保持するために、恒温装置によって２５℃に調整した水浴を用意した。
反応容器としては、サンプル管瓶Ｎｏ．３を用いた。
磁気攪拌子を収容したサンプル管瓶Ｎｏ．３に、Ｏｘｏｎｅ（登録商標）６１．４７ｍｇを量り取り、さらに、重水（１０００−ｘ）μＬを加え、犠牲酸化剤含有溶液を調製した。なお、ｘは、後述するパラジウム（ＩＩ）錯体を含む水溶液（以下、「パラジウム錯体水溶液」と言う。）の体積（μＬ）を示す。
別途、次に示すようにパラジウム錯体水溶液を調製した。
反応容器として用いるサンプル管瓶とは異なるサンプル管瓶に、パラジウム（ＩＩ）錯体を約１ｍｇ量り取り、さらに、重水を１ｍＬ加えて、重水にパラジウム（ＩＩ）錯体を溶解させ、無色のパラジウム錯体水溶液を得た。
得られたパラジウム錯体水溶液ｘμＬを、サンプル管瓶Ｎｏ．３内の犠牲酸化剤含有溶液に添加した。パラジウム錯体水溶液と犠牲酸化剤含有溶液の混合溶液におけるパラジウム（ＩＩ）錯体の濃度は０．１ｍｍｏｌ／Ｌ、Ｏｘｏｎｅ（登録商標）の濃度は０．１ｍｏｌ／Ｌであった。
【００３４】
その後、直ちに、サンプル管瓶Ｎｏ．３内の混合溶液に、ハロゲン化芳香族化合物であるｏ−ジクロロベンゼン１ｍＬを添加し、サンプル管瓶Ｎｏ．３の蓋を閉めた。
次いで、水浴中に蓋を閉めたサンプル管瓶Ｎｏ．３を浸漬し、遮光下、空気下にて、磁気攪拌子により、サンプル管瓶Ｎｏ．３内の混合溶液とｏ−ジクロロベンゼンの混合物を、２５℃にて２４時間、攪拌した。
攪拌終了後、上述の通り、ｏ−ジクロロベンゼンの酸化分解反応液４００μＬと定量溶液４００μＬとを混合して測定用溶液を調製し、この測定用溶液を用いて生成物の１Ｈ−ＮＭＲスペクトル測定を行った。結果を図２に示す。
図２の結果から、８．３ｐｐｍ付近にギ酸のホルミル基のプロトン由来のピークが観測された。
また、ｏ−ジクロロベンゼン−Ｄ４の酸化分解反応液１ｍＬを、重水の代わりに水を溶媒として調製し、この測定用溶液を用いて生成物の２Ｈ−ＮＭＲスペクトル測定を行った。結果を図３に示す。
図３の結果から、８．３ｐｐｍ付近にギ酸のホルミル基の重水素由来のピークが観測された。
したがって、ｏ−ジクロロベンゼンの酸化分解によって、ギ酸が得られていることが確認された。
【００３５】
また、内部標準物質であるＤＳＳを基準として、１Ｈ−ＮＭＲスペクトル測定において内部標準物質中のメチル基と、生成物のＮＭＲシグナルの積分比により定量した結果、ハロゲン化芳香族化合物がｏ−ジクロロベンゼンである場合、触媒回転数（Ｔｕｒｎｏｖｅｒ  Ｎｕｍｂｅｒ、ＴＯＮ）が４６であった。結果を表１に示す。
なお、触媒回転数とは、触媒であるパラジウム（ＩＩ）錯体１分子が行う物質変換量のことである。
【００３６】
さらに、次のようにして酸化剤効率を測定したところ、酸化剤効率は３．４％であった。結果を表１に示す。
酸化剤効率は、生成物であるギ酸の濃度に３を掛けた値を、酸化剤として用いたＯｘｏｎｅ（登録商標）の濃度に４を掛けた値で割り、１００倍して算出した。
なお、酸化剤効率とは、生成物の物質量に、原料から生成物へと変換するのに必要な電子数を掛け、酸化剤の濃度で割り、１００倍した値である。
【００３７】
［実施例２］
ハロゲン化芳香族化合物をクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００３８】
［実施例３］
ハロゲン化芳香族化合物を４−クロロベンゼンスルホン酸ナトリウムとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００３９】
［実施例４］
ハロゲン化芳香族化合物をｍ−ジクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４０】
［実施例５］
ハロゲン化芳香族化合物をｐ−ジクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４１】
［実施例６］
ハロゲン化芳香族化合物を１，２，３−トリクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４２】
［実施例７］
ハロゲン化芳香族化合物を１，２，４−トリクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４３】
［実施例８］
ハロゲン化芳香族化合物を１，２，４，５−テトラクロロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４４】
［実施例９］
犠牲酸化剤としてペルオキソ二硫酸ナトリウムを用いたこと以外は実施例１と同様にして、ハロゲン化芳香族化合物を酸化分解した
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４５】
［実施例１０］
ハロゲン化芳香族化合物をフルオロベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４６】
［実施例１１］
ハロゲン化芳香族化合物をブロモベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４７】
［実施例１２］
芳香族化合物をベンゼンとしたこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、触媒回転数と酸化剤効率を測定した。結果を表１に示す。
【００４８】
［比較例１］
パラジウム（ＩＩ）錯体を用いなかったこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００４９】
［比較例２］
パラジウム（ＩＩ）錯体を用いなかったこと以外は実施例２と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５０】
［比較例３］
パラジウム（ＩＩ）錯体を用いなかったこと以外は実施例３と同様にして、ハロゲン化芳香族化合物を酸化分解した。
また、実施例１と同様にして、生成物の１Ｈ−ＮＭＲスペクトル測定を行った。その結果、生成物としてギ酸が得られていないことが確認された。
また、実施例１と同様にして、酸化剤効率を測定した。結果を表１に示す。
【００５１】
［比較例４］
パラジウム（ＩＩ）錯体を用いなかったこと以外は実施例４と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５２】
［比較例５］
パラジウム（ＩＩ）錯体を用いなかったこと以外は実施例５と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５３】
［比較例６］
パラジウム（ＩＩ）錯体を用いなかったこと以外は実施例６と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５４】
［比較例７］
パラジウム（ＩＩ）錯体を用いなかったこと以外は実施例７と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５５】
［比較例８］
パラジウム（ＩＩ）錯体を用いなかったこと以外は実施例８と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５６】
［比較例９］
犠牲酸化剤としてペルオキソ二硫酸ナトリウムを用いたこと以外は実施例９と同様にして、ハロゲン化芳香族化合物を酸化分解した。
また、実施例１と同様にして、生成物の１Ｈ−ＮＭＲスペクトル測定を行った。その結果、生成物としてギ酸が得られていることが確認された。
また、実施例１と同様にして、酸化剤効率を測定した。結果を表１に示す。
【００５７】
［比較例１０］
パラジウム（ＩＩ）錯体を用いなかったこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸は観測されないことが確認された。
また、実施例１と同様にして、酸化剤効率を測定した。結果を表１に示す。
【００５８】
［比較例１１］
パラジウム（ＩＩ）錯体を用いなかったこと以外は実施例１と同様にして、ハロゲン化芳香族化合物を酸化分解した。
また、実施例１と同様にして、生成物の１Ｈ−ＮＭＲスペクトル測定を行った。その結果、生成物としてギ酸は観測されないことが確認された。
また、実施例１と同様にして、酸化剤効率を測定した。結果を表１に示す。
【００５９】
［比較例１２］
パラジウム（ＩＩ）錯体を用いなかったこと以外は実施例１と同様にして、芳香族化合物を酸化分解した。
また、実施例１と同様にして、生成物の１Ｈ−ＮＭＲスペクトル測定を行った。その結果、生成物としてギ酸は観測されないことが確認された。
また、実施例１と同様にして、酸化剤効率を測定した。結果を表１に示す。
【００６０】
【表１】
2019147143.tif 000007
【００６１】
表１に示した結果から、実施例１〜実施例１１における酸化分解反応は、ハロゲン化芳香族化合物に特異的に反応が進行することが示唆された。また、実施例１２における酸化分解反応は、比較例１１における酸化分解反応と比較すると、ベンゼンにおいても進行することが示唆された。また、クロロ基の数が増えるに従って、パラジウム（ＩＩ）錯体を用いた酸化分解反応は進行し難くなることが分かった。
一方、比較例１〜比較例１１でも、生成物としてギ酸が得られているものの、実施例１〜実施例１１と比較すると、パラジウム（ＩＩ）錯体を用いている実施例１〜実施例１１の方が、３倍〜６８倍ほど効率がよくなっていることが確認された。
【産業上の利用可能性】
【００６２】
本発明のハロゲン化芳香族化合物の酸化分解方法は、廃棄できずに貯蔵されているポリ塩化ビフェニルやダイオキシン類が分散された溶液中に、上記式（１）で表わされるＮ−ヘテロ環状カルベン配位子を有するパラジウム（ＩＩ）錯体からなる、本発明の酸化触媒と犠牲酸化剤を溶解させ、それらの混合物を、室温で攪拌することにより、極めて有害な廃棄物を無害化し、水素貯蔵物質として有用なギ酸の溶液を得ることができる。従って、本発明の酸化触媒およびそれを用いたハロゲン化芳香族化合物の酸化分解方法は、ハロゲン化芳香族化合物の酸化分解を効率的かつ合理的に行うために大きく貢献することができる。
【図１】
2019147143.tif 000010
【図２】
2019147143.tif 000011
【図３】
2019147143.tif 000012